(57)【要約】文字列の表示枠の大きさが互いに同一な複数種類の画面デザインがそれぞれ規定された複数の画面データと、複数種類のフォントデータと、複数種類の画面データにより規定される各画面デザインの画面に表示する文字列が登録された文字列テーブルであって、複数種類のフォントデータごとに設けられて、フォントデータにより規定される文字寸法に応じて表示枠に収まるように文字列の表記が変更された複数の文字列テーブルとを備え、判定部１２が、表示部の画面表示に用いる表示種別を判定し、判定部１２により判定された表示種別に対応する画面データ、フォントデータ、及び文字列を用いた画面を表示部６に表示する。
2011048633.tif 000002
【特許請求の範囲】
【請求項１】
文字列の表示枠の大きさが互いに同一な複数種類の画面デザインがそれぞれ規定された複数の画面データを記憶する画面データ記憶部と、
複数種類のフォントデータを記憶するフォントデータ記憶部と、
前記複数種類の画面データにより規定される各画面デザインの画面に表示する文字列が登録された文字列テーブルであって、前記複数種類のフォントデータごとに設けられて、前記フォントデータにより規定される文字寸法に応じて前記表示枠に収まるように文字列の表記が変更された複数の文字列テーブルを記憶する文字列テーブル記憶部と、
前記画面データ、前記フォントデータ及び前記文字列テーブルの文字列を用いた画面が表示される表示部と、
前記表示部の画面表示に用いる、前記画面データ、前記フォントデータ及び前記文字列テーブルの文字列の組み合わせを示す表示種別を判定する判定部と、
前記判定部によって判定された表示種別に対応する画面データを前記画面データ記憶部から取得する画面データ取得部と、
前記判定部によって判定された表示種別に対応するフォントデータを前記フォントデータ記憶部から取得するフォントデータ取得部と、
前記判定部によって判定された表示種別に対応する文字列テーブルの文字列を前記文字列テーブル記憶部から取得する文字列データ取得部と、
前記画面データ取得部により取得された前記画面データ、前記フォントデータ取得部により取得された前記フォントデータ、及び前記文字列データ取得部により取得された前記文字列を用いた画面を表示するように前記表示部を制御する表示制御部とを備えた車載用表示装置。
【請求項２】
外部との通信により自車両の車種情報を取得する車両情報取得部を備え、
判定部は、複数の車種及び各車種に対応する表示種別が設定された対応情報を有し、
前記車両情報取得部により取得された車種情報に基づいて前記対応情報を参照することにより、自車両の車種に対応する表示種別を、表示部の画面表示に用いる表示種別であると判定することを特徴とする請求項１記載の車載用表示装置。
【請求項３】
外部から操作を行う操作部と、
前記操作部を用いて選択された表示種別を示す設定値を記憶する設定値記憶部を備え、
判定部は、前記設定値記憶部に記憶された設定値が示す表示種別を、表示部の画面表示に用いる表示種別であると判定することを特徴とする請求項１記載の車載用表示装置。
【請求項４】
自車両の車速を計測する車速計測部を備え、
判定部は、前記車速計測部で計測された車速情報に基づいて、自車両が走行中か否かを判断し、前記自車両が走行中である場合と停車中である場合で異なる表示種別を表示部の画面表示に用いる表示種別であると判定することを特徴とする請求項１記載の車載用表示装置。
【請求項５】
判定部は、
自車両が走行中の場合、文字列が表示枠に収まる文字寸法を規定するフォントデータが含まれる組み合わせの表示種別を、表示部の画面表示に用いる表示種別であると判定し、
前記自車両が停車中の場合には、前記表示枠に収まるように文字列の表記が変更される文字寸法を規定するフォントデータが含まれる組み合わせの表示種別を、前記表示部の画面表示に用いる表示種別であると判定することを特徴とする請求項４記載の車載用表示装置。
【発明の詳細な説明】
【技術分野】
【０００１】
この発明は、例えば、車載機器のディスプレイ画面やダッシュボードの表示枠に情報を表示する車載用表示装置に関するものである。
【背景技術】
【０００２】
カーナビゲーションやカーオーディオ等の車載機器は、一種類の車載機器が複数種類の車両に搭載可能に設計されている場合が多い。この場合、車載機器メーカー及び自動車メーカーの双方においては、単一種類の車載機器で、可能な限り多種類の車両に適用できることが望まれる。【０００３】
この理由は、車載機器メーカーの観点では、車載機器の種類が多くなると、これに伴って製造管理が複雑化して管理コストが増加することが危惧されるためである。また、自動車メーカーの観点では、特定車種に専用の車載機器を個別に設置すると、車両の製造において、車載機器の在庫余りや在庫不足を招きやすく、生産効率が悪化することが懸念されるためである。【０００４】
特許文献１には、一種類の車載機器（ナビゲーション装置）で車両の種類や車両が使用される環境に好適なナビゲーションを実現するために、ナビゲーションを行うための処理プログラムに設定する設定情報を車両情報に応じて切り替えるナビゲーション装置が開示されている。【０００５】
一方、車載機器の表示内容では、車両の内装デザインと統一性を持ったデザインであることが望ましい。この要望は、民生用の車両や高級車において、より一層望まれている。
また、ダッシュボードの表示枠に表示される文字のフォントデザインは、車両の種類に応じて異なるため、単一種類の車載機器で複数種類の車両に対応する場合には、車載機器が表示する文字列についても、画面デザインの切り替えに連動してフォントを切り替えられると好都合である。【０００６】
しかしながら、車載機器は、一般的にディスプレイが小型であるため、画面レイアウトを変更せずに文字列のフォントを変更すると、画面上の表示枠に文字列が収まらなくなる場合がある。この場合、ユーザの視認性が損なわれるため、当該フォントを採用することはできない。【０００７】
また、表示枠に収まるフォントのみを使用した場合には、フォントによって車両の内装デザインとの統一性が失われる可能性がある。このため、車両の内装デザインとの統一性を重視する場合は、一種類の車載機器が搭載され得る車両の種類は制限されるという課題があった。【０００８】
なお、特許文献１では、上述の画面デザインと文字表示に関する不具合を解決する手段は開示されていない。【０００９】
この発明は、上記のような課題を解決するためになされたもので、複数の車種の車両にそれぞれ対応した画面デザイン及び文字表示を提供することができる車載用表示装置を得ることを目的とする。
【先行技術文献】
【特許文献】
【００１０】
【特許文献１】特開２００５−１８１１３０号公報
【発明の概要】
【００１１】
この発明に係る車載用表示装置は、文字列の表示枠の大きさが互いに同一な複数種類の画面デザインがそれぞれ規定された複数の画面データを記憶する画面データ記憶部と、複数種類のフォントデータを記憶するフォントデータ記憶部と、複数種類の画面データにより規定される各画面デザインの画面に表示する文字列が登録された文字列テーブルであって、複数種類のフォントデータごとに設けられて、フォントデータにより規定される文字寸法に応じて表示枠に収まるように文字列の表記が変更された複数の文字列テーブルを記憶する文字列テーブル記憶部と、画面データ、フォントデータ及び文字列テーブルの文字列を用いた画面が表示される表示部と、表示部の画面表示に用いる、画面データ、フォントデータ及び文字列テーブルの文字列の組み合わせを示す表示種別を判定する判定部と、判定部によって判定された表示種別に対応する画面データを画面データ記憶部から取得する画面データ取得部と、判定部によって判定された表示種別に対応するフォントデータをフォントデータ記憶部から取得するフォントデータ取得部と、判定部によって判定された表示種別に対応する文字列テーブルの文字列を文字列テーブル記憶部から取得する文字列データ取得部と、画面データ取得部により取得された画面データ、フォントデータ取得部により取得されたフォントデータ、及び文字列データ取得部により取得された文字列を用いた画面を表示するように表示部を制御する表示制御部とを備えるものである。
【００１２】
この発明によれば、文字列の表示枠の大きさが互いに同一な複数種類の画面デザインがそれぞれ規定された複数の画面データと、複数種類のフォントデータと、複数種類の画面データにより規定される各画面デザインの画面に表示する文字列が登録された文字列テーブルであって、複数種類のフォントデータごとに設けられて、フォントデータにより規定される文字寸法に応じて表示枠に収まるように文字列の表記が変更された複数の文字列テーブルとを備え、判定部が、表示部の画面表示に用いる表示種別を判定し、判定部により判定された表示種別に対応する画面データ、フォントデータ、及び文字列を用いた画面を表示部に表示する。
このように、表示枠に収まらない文字寸法を規定するフォントデータであっても、当該表示枠に収まるように表記を変更した文字列を登録しておくことで、表示枠に収まらず、文字列が視認できないという不具合を解消できる。これにより、１つの車載用表示装置で複数の車種の車両にそれぞれ対応した画面デザイン及び文字表示を提供することができるという効果がある。
【図面の簡単な説明】
【００１３】
【図１】表示画面のフォント切り替えの例を示す図である。
【図２】この発明の実施の形態１による車載用表示装置を適用したカーナビゲーション装置の構成を示すブロック図である。
【図３】実施の形態１の車載用表示装置により表示されるメニュー画面の一例を示す図である。
【図４】車種と表示種別の対応表の一例を示す図である。
【図５】画面データ取得部による動作の流れを示すフローチャートである。
【図６】文字列データ取得部による動作の流れを示すフローチャートである。
【図７】フォントデータ取得部による動作の流れを示すフローチャートである。
【図８】この発明の実施の形態２による車載用表示装置を適用したカーナビゲーション装置の構成を示すブロック図である。
【図９】この発明の実施の形態３による車載用表示装置を適用したカーナビゲーション装置の構成を示すブロック図である。
【発明を実施するための形態】
【００１４】
以下、この発明をより詳細に説明するために、この発明を実施するための形態について、添付の図面に従って説明する。
実施の形態１．
先ず、この発明における「車載機器」とは、カーナビゲーションシステムやカーオーディオシステム等のように車両に搭載される機器であって、車両の乗員（以下、ユーザと呼ぶ）との間に画面表示によるマンマシンインタフェースを有する機器を意味する。
この発明による車載用表示装置は、上記の車載機器の表示装置として適用されて、マンマシンインタフェースとしてのディスプレイ画面やダッシュボードの表示枠に情報を表示する。
【００１５】
ここで、カーナビゲーションシステムの表示画面において、画面レイアウトを変えずに文字列のフォントのみを切り替えた場合の不具合について説明する。
図１は、表示画面のフォント切り替えの例を示す図であり、カーナビゲーションシステムのメニュー画面においてフォントを切り替えた場合を示している。図１に示す画面上の“Ｓｈｏｗ  ｎｅｘｔ  ｄｅｓｔｉｎａｔｉｏｎ”と表記されたソフトウェアボタン（以下、ＳＷボタンと呼ぶ）をタッチすると、ナビゲーションにおける目的地に関する情報を表示する画面に遷移する。
また、“Ｓｈｏｗ  ｔｒａｆｆｉｃ  ｉｎｆｏｒｍａｔｉｏｎ”と表記されたＳＷボタンをタッチすると、渋滞状況などの交通情報を表示する画面に遷移する。
さらに、“Ｓｈｏｗ  ｃｕｒｒｅｎｔ  ｐｏｓｉｔｉｏｎ”と表記されたＳＷボタンをタッチすると、車両の現在位置に関する情報を表示する画面に遷移する。
【００１６】
図１（ａ）と図１（ｂ）に示す画面では、画面レイアウトの変更はなく、ＳＷボタンの大きさは同じであるもとする。図１（ｂ）に示す画面は、図１（ａ）のＳＷボタンに表記した文字フォントに比べて一文字の大きさが幅広なフォントを使用している。このため、ＳＷボタンの表示枠内に文字列が収まらなくなっている。このように車載機器では、画面が比較的小型である場合が多く、文字数の多い文字列を表記するための表示枠の大きさも固定されている。従って、フォントを変更すると文字列が表示枠に収まらない場合が生じやすい。
【００１７】
図１（ｂ）のように文字列が表示枠に収まらないと、ユーザの視認性にも影響を与えるため、このフォントが車両の内装デザインと統一性がある場合であっても、採用することができない。
例えば、車両に搭載されたダッシュボードの他の機器では、図１（ｂ）に示すフォントの文字を表示している場合において、ナビゲーション装置の画面のみが図１（ａ）に示すフォントで文字を表示すると、デザインの統一性が失われる。
また、２種類の車両において、一方の車両の内装デザインには、図１（ａ）に示すフォントの文字が調和するが、他方の車両の内装デザインは、図１（ｂ）に示すフォントの文字が調和する場合、単にフォントを切り替えただけでは、上述のような表示枠に収まらない等の不具合が生じる。なお、車両の種類には、業務用車両と民生用車両や、高級車と大衆車の違いも含まれる。
【００１８】
この発明による車載用表示装置は、車両の種類に応じて画面デザインを切り替え、この画面デザインの切り替えに伴い画面デザインに対応するフォントの切り替えも連動して行うことで、複数種類の車両にそれぞれ対応した画面デザイン及び文字表示を提供することができる。
【００１９】
図２は、この発明の実施の形態１による車載用表示装置を適用したカーナビゲーション装置の構成を示すブロック図である。図２に示すカーナビゲーション装置１は、ナビゲーション機能を実現する構成として、ナビゲーション機能演算部２、自車位置検出部３、地図データ記憶部４、交通情報受信部５、表示部６、操作部７及び表示制御部８を備えており、実施の形態１による車載用表示装置の機能を実現する構成として、画面データ記憶部９、フォントデータ記憶部１０、文字列テーブル記憶部１１、判定部１２、車両情報取得部１３、画面データ取得部１５、フォントデータ取得部１６及び文字列データ取得部１７を備える。
【００２０】
ナビゲーション機能演算部２は、カーナビゲーション装置１のカーナビゲーション機能を実現するための演算処理を実施する構成部である。自車位置検出部３は、自車位置を検出する構成部であり、例えばＧＰＳ（Global Positioning System）信号を受信して自車位置の緯度経度を検出する。地図データ記憶部４は、ナビゲーション機能演算部２によるカーナビゲーション処理に使用される地図データを格納する記憶部である。交通情報受信部５は、ＶＩＣＳ（Vehicle Information and Communication System）（登録商標；以下記載を省略する）又はＴＭＣ（Traffic Message Channel）等の放送を受信して、道路の渋滞状況などの交通情報を取得する構成部である。
【００２１】
表示部６は、車両に搭載された表示装置であり、例えば、カーナビゲーション装置１の表示装置に相当する構成部である。また、実施の形態１による車載用表示装置をダッシュボードの計器類に関する車載機器に適用した場合は、ダッシュボードの計器類を表示する表示装置が該当する。操作部７は、ユーザから車載機器への操作入力を行うための構成部であり、タッチパネル又はジョイスティック等が用いられる。表示制御部８は、表示部６の画面表示を制御する構成部であり、表示部６の画面表示を用いたマンマシンインタフェースに関する制御演算を実施する。
【００２２】
画面データ記憶部９は、画面デザインを定義する画面データ９−１，９−２を記憶する記憶部である。この発明における画面デザインとは、表示部６の画面上に表示する、アイコンやＳＷボタン、表示窓（ウィンドウ）等の構成部、これらの構成部や画面背景に施す模様、これらに記載する画像等から規定される表示内容を意味する。ここで、画面データ９−１，９−２は、ＳＷボタンから構成される図柄を示すデータであって、ＳＷボタンの大きさ及び配置位置は同一であるが、画面背景に施された模様がそれぞれ異なる。なお、図１で示したように、ＳＷボタンが文字列を表記する表示枠となる。
【００２３】
フォントデータ記憶部１０は、表示部６の画面上に表示する文字列のフォントデータ１０−１，１０−２を記憶する記憶部である。ビットマップフォントを使用する場合には、フォントデータ記憶部１０において文字ごとのビットマップデータが保持され、文字コードをインデックスとして当てはまるビットマップデータを参照することができる。
また、スケーラブルフォントを使用する場合は、フォントデータ記憶部１０において文字ごとの形状を示すベクトルデータが保持され、文字コードをインデックスとして当てはまるベクトルデータを参照することができる。
以降では、説明の簡単のため、ビットマップフォントを使用する場合について述べる。
【００２４】
また、この発明では、実用性重視のフォントとデザイン重視のフォントに分類して、フォントデータを用いる。例えば、フォントデータ１０−１を実用性重視のフォントとし、フォントデータ１０−２をデザイン重視のフォントとする。
ここで、実用性重視のフォントとは、意味内容をそのまま認識できるように、画面上に表記する文字列において単語の省略形や略語を用いないフォントであり、表記にデザイン性がないフォントである。例えば、等幅の明朝体やゴシック体などが挙げられる。
また、デザイン重視のフォントとは、意味内容の認識しやすさより、デザイン性が重視されたフォントであり、画面上の表示枠に収まらない文字幅（文字寸法）の場合は単語の省略形や略語が用いられる。例えば、ポップ体や幅広のゴシック文字、行書体のようなフォントが挙げられる。
【００２５】
図３は、実施の形態１の車載用表示装置により表示されるメニュー画面の一例を示す図であり、図３（ａ）は実用性重視のフォントを用いた場合を示しており、図３（ｂ）はデザイン重視のフォントを用いた場合を示している。
図３（ａ）に示すように、実用性重視のフォントでは、単語の省略形や略語を用いずに意味内容を示す文字列が表記される。一方、デザイン重視のフォントでは、図３（ｂ）に示すように、実用性重視のフォントと同様に表記すると表示枠に収まらないため、単語を省略形で表記している。
【００２６】
文字列テーブル記憶部１１は、表示部６の画面上に表示する文字列の一覧がテキストデータの形式で登録された文字列テーブルを記憶する記憶部である。また、テーブルのインデックスは、文字列番号と等しい。この実施の形態１では、フォントデータ１０−１で表記された文字列テーブル１１−１とフォントデータ１０−２で表記された文字列テーブル１１−２とを備え、両文字列テーブル１１−１，１１−２で同じインデックスの文字列は同じ意味内容の文字列であるものとする。
【００２７】
フォントデータ１０−２は、幅広のフォントが用いられるデザイン重視のフォントである。このため、文字列テーブル１１−２に登録される文字列では、表示部６の画面に表示する表示枠の大きさを考慮して、表示枠に収まるように単語の省略形や略語を用い文字数を削減している。また、単語自体を、同意で、かつ文字数の少ない別の単語に置き換えても構わない。さらに、文字列自体を同意で、かつ文字数の少ない別の文字列に置き換えてもよい。
【００２８】
判定部１２は、車両情報取得部１３により取得された車両情報に基づいて表示種別を判定する構成部である。ここでは、表示種別１か表示種別２のいずれであるかを判定する。表示種別１では、画面データ９−１、フォントデータ１０−１及び文字列テーブル１１−１が適用され、表示種別２では、画面データ９−２、フォントデータ１０−２及び文字列テーブル１１−２が適用される。
【００２９】
また、表示種別１，２は、それぞれ対応するデジタル値で特定される（例えば、表示種別１はデジタル値「０」、表示種別２はデジタル値「１」とする）。判定部１２は、判定により表示種別を決定すると、決定した表示種別に応じたデジタル値を画面データ取得部１５、フォントデータ取得部１６及び文字列データ取得部１７に出力する。画面データ取得部１５、フォントデータ取得部１６及び文字列データ取得部１７は、判定部１２から入力したデジタル値に基づいて表示種別を判断する。
【００３０】
実施の形態１では、車両情報として車両の車種に関する情報を用いる。この発明の車載用表示装置を適用したカーナビゲーションシステムが搭載され得る車両の車種に応じて、表示種別を適宜設定しておく。この場合に、車両の内装デザインと画面表示との統一性を考慮して表示種別が決定される。
【００３１】
図４は、車種と表示種別の対応表の一例を示す図であり、判定部１２による表示種別の判定時に参照されるデータである。図４に示すように、表示種別１，２のいずれかが車種Ａ〜Ｆにそれぞれ設定される。判定部１２は、図４に示す対応表を参照して車両情報取得部１３で取得された車種に対応する表示種別を判定する。
なお、図４に示す対応表データは、判定部１２の内部に定義データの形式で実装してもよいし、あるいは判定部１２の機能を実現するためのプログラムコードにハードコーディングしても構わない。
【００３２】
車両情報取得部１３は、車載ネットワーク１４を経由して外部とデータ通信が可能な通信部であり、判定部１２による表示種別の判定に用いる車種に関する情報を外部から取得する。画面データ取得部１５は、判定部１２によって判定された表示種別に対応する画面データを画面データ記憶部９から取得する構成部である。フォントデータ取得部１６は、判定部１２によって判定された表示種別に対応するフォントデータをフォントデータ記憶部１０から取得する構成部である。文字列データ取得部１７は、判定部１２によって判定された表示種別に対応する文字列データを文字列テーブル記憶部１１から取得する構成部である。
【００３３】
次に動作について説明する。
先ず、表示制御部８は、操作部７を用いて、例えば図３に示す画面を表示部６の画面に表示させる操作がなされると、画面データ取得部１５に対し、当該操作入力で指定された画面デザイン（背景画）を規定する画面データを画面データ記憶部９から取得するように指示する。
【００３４】
図５は、画面データ取得部による動作の流れを示すフローチャートである。画面データ取得部１５は、表示制御部８から画面データの取得が指示されると、表示種別が表示種別１，２のいずれであるかを判断する（ステップＳＴ１）。この処理は、判定部１２から通知された表示種別を示すデジタル値に基づいて実施される。
【００３５】
判定部１２から通知された表示種別が表示種別１のとき、画面データ取得部１５は、画面データ記憶部９の画面データ９−１から、表示制御部８に指定された背景画のビットマップデータを取得して表示制御部８へ出力する（ステップＳＴ２）。
【００３６】
また、判定部１２から通知された表示種別が表示種別２のとき、画面データ取得部１５は、画面データ記憶部９の画面データ９−２から、表示制御部８に指定された背景画のビットマップデータを取得して表示制御部８へ出力する（ステップＳＴ３）。
【００３７】
画面データには画面ごとに表示すべき文字列の文字列番号が予め定義されており、表示制御部８は、この文字列番号に基づいて文字列を決定する。上述したように、文字列番号は、文字列テーブルのインデックス番号に相当するものであり、図３に示すメニュー画面を表示する場合には、図２に示す文字列テーブルのインデックス番号７１，７２，７３，７４の４種類の文字列が表示すべき文字列として決定される。表示制御部８は、画面データから抽出した文字列番号７１を文字列データ取得部１７へ通知して文字列データの取得を指示する。
【００３８】
図６は、文字列データ取得部による動作の流れを示すフローチャートである。文字列データ取得部１７は、表示制御部８から文字列データの取得が指示されると、表示種別が表示種別１，２のいずれであるかを判断する（ステップＳＴ１ａ）。この処理は、画面データ取得部１５と同様に、判定部１２から通知された表示種別を示すデジタル値に基づいて実施される。
【００３９】
判定部１２から通知された表示種別が表示種別１のとき、文字列データ取得部１７は、文字列テーブル記憶部１１の文字列テーブル１１−１から、表示制御部８に指定された文字列番号と等しいインデックス番号の文字列のテキストデータを取得して表示制御部８へ出力する（ステップＳＴ２ａ）。
【００４０】
一方、判定部１２から通知された表示種別が表示種別２のとき、文字列データ取得部１７は、文字列テーブル記憶部１１の文字列テーブル１１−２から、表示制御部８に指定された文字列番号と等しいインデックス番号の文字列のテキストデータを取得して表示制御部８へ出力する（ステップＳＴ３ａ）。このとき、画面データ９−２から規定される表示枠に収まらない文字数の文字列の場合は、図２に示すように単語を省略形とすることで、文字数が削減されたテキストデータが取得される。
【００４１】
文字列番号７１の場合、文字列データ取得部１７は、判定部１２により指定された表示種別に対応する文字列テーブルであり、かつ表示制御部８から通知された文字列番号７１と等しいインデックス番号７１の文字列（“Ｍｅｎｕ”）のテキストデータを、文字列テーブル記憶部１１から取得して表示制御部８へ返信する。
【００４２】
次に、表示制御部８は、文字列データ取得部１７から入力したテキストデータを構成する各文字の文字コードをフォントデータ取得部１６へ出力して各文字に対応するビットマップデータの取得を指示する。
【００４３】
図７は、フォントデータ取得部による動作の流れを示すフローチャートである。フォントデータ取得部１６は、表示制御部８から文字のビットマップデータの取得が指示されると、表示種別が表示種別１，２のいずれであるかを判断する（ステップＳＴ１ｂ）。この処理は、画面データ取得部１５と同様に、判定部１２から通知された表示種別を示すデジタル値に基づいて実施される。
【００４４】
判定部１２から通知された表示種別が表示種別１のとき、フォントデータ取得部１６は、フォントデータ記憶部１０のフォントデータ１０−１から、表示制御部８によって指定された文字コードのビットマップデータを取得して表示制御部８へ出力する（ステップＳＴ２ｂ）。
【００４５】
また、判定部１２から通知された表示種別が表示種別２のとき、フォントデータ取得部１６は、フォントデータ記憶部１０のフォントデータ１０−２から、表示制御部８によって指定された文字コードのビットマップデータを取得して表示制御部８へ出力する（ステップＳＴ３ｂ）。
【００４６】
例えば、表示制御部８は、テキストデータ「Ｍｅｎｕ」を構成する各文字「Ｍ」「ｅ」「ｎ」「ｕ」の文字コードをフォントデータ取得部１６へ出力する。フォントデータ取得部１６では、判定部１２によって指定された表示種別に対応するフォントデータから、表示制御部８から入力した文字コードのビットマップデータを取得して表示制御部８へ返信する。同様の処理を文字列番号７２，７３，７４についても実施することにより、図３に示すメニュー画面に表示すべき全ての文字列の各文字のビットマップデータが得られる。
【００４７】
最後に、表示制御部８は、各文字のビットマップデータを、先に取得した画面データのビットマップデータ上の所定位置にそれぞれ重畳したビットマップイメージを作成して、表示部６へ出力する。これにより、図３（ａ）又は図３（ｂ）に示すメニュー画面が表示部６の画面上に表示される。
【００４８】
次に、図４に示したような車種と表示種別の対応表の設定方法について説明する。
（Ａ）車種ごとの内装デザイン及びダッシュボード機器
車両の内装デザイン及びダッシュボード機器が表示する画面の少なくとも一方とデザインの統一がとれる画面データ、フォントデータ及び文字列テーブルを、画面データ記憶部９、フォントデータ記憶部１０及び文字列テーブル記憶部１１に記憶されるデータから特定し、この車両の車種と、特定したデータの表示種別とを対応付ける。
また、車両の内装デザイン及びダッシュボード機器が表示する画面デザインを基準として、画面データ、フォントデータ及び文字列テーブルを新たに作成し、新たな表示種別に対応付けて対応表に登録してもよい。
【００４９】
（Ｂ）業務用車両と民生用車両
車種に応じて、車両を業務用車両と民生用車両に分類し、業務用車両と民生用車両とで互いに異なる表示種別を対応付けてもよい。
例えば、業務用車両には実用性重視の表示を設定し、民生用車両にはデザイン重視の表示を設定する。
【００５０】
（Ｃ）大衆車と高級車
車種に応じて、車両を大衆車と高級車に分類し、大衆車と高級車とで互いに異なる表示種別を対応付けてもよい。
例えば、大衆車には実用性重視の表示を設定し、高級車にはデザイン重視の表示を設定する。
【００５１】
なお、この実施の形態１における「車種」とは、車両情報として車両情報取得部１３が取得できる限り、車両の型番にて識別する細かい分類であってもよいし、「タイプ」のような上位分類でもよい。「タイプ」とは「スポーツカー」や「セダン」等に分類することである。また、単一の車載機器を複数の自動車メーカーの車両に搭載する場合であれば、自動車メーカーの識別情報であってもよい。例えば、Ａ社製車両に搭載される場合は表示種別１を適用し、Ｂ社製車両に搭載される場合は表示種別２を適用する。
【００５２】
以上のように、この実施の形態１によれば、文字列の表示枠の大きさが互いに同一な複数種類の画面デザインがそれぞれ規定された複数の画面データと、複数種類のフォントデータと、複数種類の画面データにより規定される各画面デザインの画面に表示する文字列が登録された文字列テーブルであって、複数種類のフォントデータごとに設けられて、フォントデータにより規定される文字寸法に応じて表示枠に収まるように文字列の表記が変更された複数の文字列テーブルとを備え、判定部１２が、表示部の画面表示に用いる表示種別を判定し、判定部１２により判定された表示種別に対応する画面データ、フォントデータ、及び文字列を用いた画面を表示部６に表示する。
この構成において、外部との通信で自車両の車種情報を取得する車両情報取得部１３を備え、判定部１２が、複数の車種及び各車種に対応する表示種別が設定された対応表を有し、車両情報取得部１３で取得された車種情報に基づいて対応表を参照することにより、自車両の車種に対応する表示種別を、表示部６の画面表示に用いる表示種別であると判定する。
このようにすることにより、自車両の車種に対応するフォントデータが、表示枠に収まらない文字寸法を規定する場合であっても、当該表示枠に収まるように表記を変更した文字列を登録しておくことで、表示枠に収まらず、文字列が視認できないという不具合を解消できる。これにより、１つの車載用表示装置１で複数の車種の車両にそれぞれ対応した画面デザイン及び文字表示を提供することができる。
【００５３】
また、この実施の形態１では、車両の内装デザイン及びダッシュボード機器の画面デザインとデザインの統一がとれる文字フォントに切り替えた際に文字列も連動して切り替えられることから、文字フォントごとの特徴に応じた適切な文字列表示を実現することができる。例えば、文字幅の狭いフォントでは、文字数の多い文字列が許容され、情報量が多く、意味内容を把握しやすい文字列表示となる。また、文字幅が広いフォントでは、画面上の表示枠内に収まるように文字数が調節された適切な文字列表示が可能である。
【００５４】
なお、文字や単語によっては文字幅が広くなるフォントが異なる場合がある。例えば、例えば、文字Ａについてはフォントデータ１０−１の方が幅広であり、文字Ｂについてはフォントデータ１０−２の方が幅広である場合も考えられる。この場合には、実用性重視やデザイン重視という概念にとらわれず、単語の省略形や略語を用いた文字列を文字列テーブルに登録しても構わない。
【００５５】
実施の形態２．
図８は、この発明の実施の形態２による車載用表示装置を適用したカーナビゲーション装置の構成を示すブロック図である。図８に示すカーナビゲーション装置１Ａでは、ナビゲーション機能を実現する構成及び実施の形態２による車載用表示装置の機能を実現する構成は、上記実施の形態１で説明した図２と基本的に同一であるが、図２で示した構成のうち、車両情報取得部１３の代わりに設定値記憶部１８を設けた点で異なる。設定値記憶部１８は、上記実施の形態１で示した表示種別の設定値を記憶する記憶部である。
【００５６】
画面デザインとフォントの組み合わせの切り替えは、ユーザの設定によって切り替えるようにしてもよく、この場合にはユーザの嗜好にあった画面表示を実現できるという利点が得られる。実施の形態２では、表示制御部８が、ユーザに表示種別を選択させる画面を表示部６に表示させる。この選択画面に基づいて、ユーザが、操作部７を用いて表示種別を選択すると、選択された表示種別を示すデジタル値が設定値として設定値記憶部１８に記憶される。判定部１２は、設定値記憶部１８に記憶された設定値に基づいて、ユーザによって選択された表示種別を判定する。このように決定された表示種別を用いる処理は、上記実施の形態１と同様である。
【００５７】
以上のように、この実施の形態２によれば、外部から操作を行う操作部７と、操作部７を用いて選択された表示種別を示す設定値を記憶する設定値記憶部１８を備え、判定部１２が、設定値記憶部１８に記憶された設定値が示す表示種別を、表示部６の画面表示に用いる表示種別であると判定する。このように構成することで、上記実施の形態１と同様の効果が得られる。また、ユーザの嗜好にあった画面表示を実現できる。
【００５８】
実施の形態３．
図９は、この発明の実施の形態３による車載用表示装置を適用したカーナビゲーション装置の構成を示すブロック図である。図９に示すカーナビゲーション装置１Ｂでは、ナビゲーション機能を実現する構成及び実施の形態３による車載用表示装置の機能を実現する構成は、上記実施の形態１で説明した図２と基本的に同一であるが、図２で示した構成のうち、車両情報取得部１３の代わりに車速計測部１９を設けた点で異なる。車速計測部１９は、カーナビゲーション装置１Ｂを搭載した車両の車速を計測する構成部である。
【００５９】
実施の形態３の判定部１２には、自車両が走行しているか、停車しているかに応じて、表示種別が設定される。判定部１２は、車速計測部１９で計測された車速情報に基づいて車両が走行している場合と停車している場合で異なる表示種別を判定し、表示部６の画面デザインを変更する。
【００６０】
例えば、車速が０でなく、自車両が走行している場合には、実用性重視の表示を行うために表示種別１を選択し、車速が０となって自車両が停車している場合には、デザイン重視の表示を行うために表示種別２を選択する。このようにすることで、車両状態に応じた画面表示を実現することができる。
ここで、実用性重視の表示とは、上記実施の形態１で説明したように、文字列が表示枠に収まる文字寸法を規定するフォントデータによる表示であり、単語の省略形などを用いないことから文字列の視認性がよい。
これに対して、デザイン重視の表示では、実用性重視の表示よりもデザイン性の高い文字表記がなされる。また、デザイン重視の表示では、文字列が表示枠に収まらない文字寸法も許容されるため、フォントデータによっては、表示枠に収まるように文字列の表記が変更される。
【００６１】
以上のように、この実施の形態３によれば、自車両の車速を計測する車速計測部１９を備え、判定部１２が、車速計測部１３で計測された車速情報に基づいて自車両が走行中か否かを判断し、自車両が走行中である場合と停車中である場合で異なる表示種別を表示部６の画面表示に用いる表示種別であると判定する。
この構成において、特に、判定部は、自車両が走行中の場合、文字列が表示枠に収まる文字寸法を規定するフォントデータが含まれる組み合わせの表示種別を、表示部６の画面表示に用いる表示種別であると判定し、自車両が停車中の場合には、表示枠に収まるように文字列の表記が変更される文字寸法を規定するフォントデータが含まれる組み合わせの表示種別を、表示部６の画面表示に用いる表示種別であると判定する。
このようにすることで、上記実施の形態１と同様の効果が得られる。また、車両状態に応じた画面表示を実現できる。
【産業上の利用可能性】
【００６２】
この発明に係る車載用表示装置は、複数の車種の車両にそれぞれ対応した画面デザイン及び文字表示を提供できるので、カーナビゲーションシステムやカーオーディオシステムの表示装置として好適である。
【図１】
2011048633.tif 000003
【図２】
2011048633.tif 000004
【図３】
2011048633.tif 000005
【図４】
2011048633.tif 000006
【図５】
2011048633.tif 000007
【図６】
2011048633.tif 000008
【図７】
2011048633.tif 000009
【図８】
2011048633.tif 000010
【図９】
2011048633.tif 000011
【国際調査報告】
2011048633.tif 000012
2011048633.tif 000013